(57)【要約】【課題】  乳幼児を包み込んで安らぎを与えることができる育児器具の座席を提供する。【解決手段】  乳母車の座席は、座席ハンモック２と、第１カバー要素７と、第２カバー要素８と、第３カバー要素９と、第４カバー要素１０とを備える。第１カバー要素７は、背もたれ部４の一方側部から乳幼児の上半身を覆うように、その基端が背もたれ部４の一方側部に取り付けられている。第２カバー要素８は、背もたれ部４の他方側部から乳幼児の上半身を覆うように、その基端が背もたれ部４の他方側部に取り付けられている。第３および第４カバー要素９，１０は、座部３の両側部から乳幼児の下半身を覆うように、その基端が座部３の両側縁に取り付けられている。【選択図】      図２
2005118264.tif 000002
【特許請求の範囲】
【請求項１】
座席形成部材と、
前記座席形成部材の一方側部から乳幼児を覆うように、その基端が座席形成部材の一方側部に取り付けられた第１カバー要素と、
前記座席形成部材の他方側部から乳幼児を覆うように、その基端が座席形成部材の他方側部に取り付けられた第２カバー要素とを備える、育児器具の座席。
【請求項２】
前記座席形成部材は、座部と、前記座部の後縁から上方に立ち上がって延びている背もたれ部と、前記背もたれ部の両側縁から前方に立ち上がって延びている側壁部とを備え、
前記各カバー要素は、その基端が前記背もたれ部と前記側壁部との境界部分に取り付けられている、請求項１に記載の育児器具の座席。
【請求項３】
前記座席形成部材は座部と背もたれ部とを備え、
前記各カバー要素は、その基端が前記座部の側縁に取り付けられている、請求項１または２に記載の育児器具の座席。
【請求項４】
前記各カバー要素は、任意の立ち上がり角度でその形状および位置を維持し得る保形性を有している、請求項１〜３のいずれかに記載の育児器具の座席。
【請求項５】
前記座席形成部材は、育児器具に取り付けられて使用される座席ハンモックである、請求項１〜４のいずれかに記載の育児器具の座席。
【発明の詳細な説明】
【技術分野】
【０００１】
この発明は、乳母車、チャイルドシート、育児椅子等の育児器具の座席に関し、特に座席に着座した子供に優しい感触を与え得る育児器具の座席に関するものである。
【背景技術】
【０００２】
特開平８−３８２号公報（特許文献１）は、乳幼児に対して好ましい感触を与えるように工夫された育児器具の座席を開示している。この公報に開示された発明は、特に乳幼児の体重を受けるベースおよびその上のマットレスの材質および構造の改良に向けられるものである。
【特許文献１】特開平８−３８２号公報
【発明の開示】
【発明が解決しようとする課題】
【０００３】
座席に着座した乳幼児に対してより安らぎ与えるには、乳幼児を包み込むような構造にすることが望まれる。座席上の乳幼児を毛布等で覆うこともなされているが、そのような毛布は、乳幼児の動きによってその位置が大きくずれてしまったりする。また、座席とは別に毛布を用意しておくことは不便である。
【０００４】
折り畳み式の育児器具の場合、座席上に毛布が残されていたりすると、折り畳み動作に支障をきたすおそれがある。
【０００５】
この発明の目的は、乳幼児を包み込んで安らぎを与えることができる育児器具の座席を提供することである。
【課題を解決するための手段】
【０００６】
この発明に従った育児器具の座席は、座席形成部材と、第１カバー要素と、第２カバー要素とを備える。第１カバー要素は、座席形成部材の一方側部から乳幼児を覆うように、その基端が座席形成部材の一方側部に取り付けられる。第２カバー要素は、座席形成部材の他方側部から乳幼児を覆うように、その基端が座席形成部材の他方側部に取り付けられる。
【０００７】
上記構成の本発明によれば、座席形成部材に取り付けられている第１および第２カバー要素で乳幼児を包み込み、乳幼児に対して安らぎを与えることができる。第１および第２カバー要素の基端は座席形成部材に取り付けられているので、各カバー要素を所定の位置に維持することができる。
【０００８】
一つの実施形態では、座席形成部材は、座部と、座部の後縁から上方に立ち上がって延びている背もたれ部と、背もたれ部の両側縁から前方に立ち上がって延びている側壁部とを備える。各カバー要素は、その基端が背もたれ部と側壁部との境界部分に取り付けられている。
【０００９】
各カバー要素の基端を座部の側縁に取り付けるようにしてもよい。各カバー要素は、例えば、任意の立ち上がり角度でその形状および位置を維持し得る保形性を有している。
【００１０】
座席形成部材の一例は、育児器具に取り付けられて使用される座席ハンモックである。
【発明を実施するための最良の形態】
【００１１】
図１および図２は、この発明の一実施形態を適用した乳母車１を示し、図３および図４は、この発明の要部を図解的に示している。乳母車１は、移動操作のための押棒の一部を構成する一対の縦棒６を有している。図示するように、乳母車１の車体には、座席を形成する座席ハンモック２が取り付けられている。
【００１２】
座席ハンモック２は、座部３と、使用状態において座部３の後縁から上方に立ち上がって延びる背もたれ部４と、使用状態において背もたれ部４の両側縁から前方に立ち上がって延びる一対の側壁部５（図２および図３参照）とを備える。図示した実施形態では、側壁部５は、乳母車１の押棒６に巻き付けて固定されている。
【００１３】
座席ハンモック２は、背もたれ部４の一方側部から着座した乳幼児の上半身を覆うように、その基端が背もたれ部４の一方側部に取り付けられた第１カバー要素７と、背もたれ部４の他方側部から乳幼児の上半身を覆うように、その基端が背もたれ部４の他方側部に取り付けられた第２カバー要素８と、座部３の一方側部から乳幼児の下半身を覆うように、その基端が座部３の一方側部に取り付けられた第３カバー要素９と、座部３の他方側部から乳幼児の下半身を覆うように、その基端が座部３の他方側部に取り付けられた第４カバー要素１０とを備える。
【００１４】
図示した実施形態では、第１および第２カバー要素７，８は、それぞれ、背もたれ部４と側壁部５との境界部分に取り付けられている。図１は、すべてのカバー要素７，８，９，１０を大きく開いた状態を示し、図２は、すべてのカバー要素７，８，９，１０を座席の内側に向かって折り曲げた状態を示している。図３では、第１および第２カバー要素７，８が開いている状態を実線で示し、内側に折り曲げた状態を想像線で示している。図４では、第３および第４カバー要素９，１０が開いている状態を実線で示し、内側に折り曲げた状態を想像線で示している。
【００１５】
図２〜図４には乳幼児を図示していないが、乳幼児の身体は、座席ハンモック２の座部３、背もたれ部４、カバー要素７，８，９，１０によって包み込まれる。したがって、乳幼児は安らぎを感じることができ、母親や父親は安心して座席内の乳幼児を見守ることができる。
【００１６】
すべてのカバー要素７，８，９，１０は、その基端が座席ハンモック２に取り付けられているので、使用時においてもその位置が大幅にずれることが無く、乳幼児の包み込みの形態を安定して維持できる。なお、カバー要素７，８，９，１０を適当な接続手段を介して取り外し可能に座席ハンモック２に接続するようにしてもよい。
【００１７】
カバー要素７，８，９，１０の大きさおよび形状については、任意に決定することができる。ただ、第１および第２カバー要素７，８に関しては、包み込みの状態のときに乳幼児の顔を覆わないようにする形状や大きさにするのが望ましい。
【００１８】
各カバー要素７，８，９，１０は、例えば、任意の立ち上がり角度でその形状および位置を維持し得る保形性を有するようにしてもよい。
【００１９】
図示した実施形態では、座席ハンモック２の背もたれ部４の両側縁に第１および第２カバー要素７，８を取り付け、座部３の両側縁に第３および第４カバー要素９，１０を取り付けていた。他の実施形態として、第１カバー要素７および第３カバー要素９を連続した一つのカバー要素とし、同様に第２カバー要素８および第４カバー要素１０を連続した一つのカバー要素としてもよい。背もたれ部が座部に対してリクライニング可能になっている座席の場合には、背もたれ部の側縁に取り付けられるカバー要素と、座部の側縁に取り付けられるカバー要素とを別に設けておくのが便利であろう。
【００２０】
また、他の実施形態として、背もたれ部の両側縁にのみカバー要素を設け、座部にはカバー要素を設けないようにしてもよい。この場合、好ましくは、乳幼児の下半身を覆うカバー部材を乳母車の車体に取り付ける。
【００２１】
さらに他の実施形態として、カバー要素を開いた状態の位置で維持しておくために、カバー要素の先端部分を何らかの接続手段を介して座席ハンモックの例えば側壁部に取り外し可能に接続したり、座席本体に取り外し可能に接続してもよい。また、第１カバー要素と第２カバー要素とを内側に折り曲げたとき、両カバー要素の先端部分を何らかの接続手段を介して取り外し可能に連結してもよい。
【００２２】
図示した実施形態では、座席ハンモックにカバー要素を取り付けていたが、他の実施形態として座席本体そのものにカバー要素を取り付けるようにしても良い。また、座席付き育児器具として、乳母車のほかに、チャイルドシートや育児椅子等がある。これらの座席に対しても、カバー要素を取り付けることができる。
【００２３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２４】
この発明は、育児器具の座席に利用されるものであり、特に子供に優しい感触を与え得る育児器具の座席として有利に利用され得る。
【図面の簡単な説明】
【００２５】
【図１】この発明の一実施形態を示す斜視図である。
【図２】図１に示す状態からカバー要素を内側に折り曲げた状態を示す斜視図である。
【図３】背もたれ部に関連した構造を示す図解図である。
【図４】座部に関連した構造を示す図解図である。
【符号の説明】
【００２６】
１  乳母車、２  座席ハンモック、３  座部、４  背もたれ部、５  側壁部、６  縦棒、７  第１カバー要素、８  第２カバー要素、９  第３カバー要素、１０  第４カバー要素。
【図１】
2005118264.tif 000003
【図２】
2005118264.tif 000004
【図３】
2005118264.tif 000005
【図４】
2005118264.tif 000006